(57)【要約】  利用者の健康状態に対して適切に動作することができる動態管理システムを提供する。動態管理システムは、管理領域の出入口の周囲に設けられ、利用者の識別体から識別情報を読み取る読取装置と、前記読取装置が読み取った識別情報と当該識別情報に対応した利用者のウェアラブル端末から採取した健康状態の情報とに基づいて前記出入口の通行可否を判定する判定装置と、を備えた。当該構成を備えることにより、利用者のウェアラブル端末から採取した健康状態の情報に応じた判定が行われる。このため、動態管理システムは、利用者の健康状態に対して適切に動作することができる。
2017221296.tif 000002
【特許請求の範囲】
【請求項１】
管理領域の出入口の周囲に設けられ、利用者の識別体から識別情報を読み取る読取装置と、
前記読取装置が読み取った識別情報と当該識別情報に対応した利用者のウェアラブル端末から採取した健康状態の情報とに基づいて前記出入口の通行可否を判定する判定装置と、
を備えた動態管理システム。
【請求項２】
前記判定装置は、利用者のウェアラブル端末から採取した健康状態の情報が優れない健康状態を示す情報の場合に前記管理領域の外側から内側への前記出入口の通行を許可しない請求項１に記載の動態管理システム。
【請求項３】
前記判定装置は、利用者のウェアラブル端末から採取した健康状態の情報が過去の一定期間において優れない健康状態を示す情報の場合に前記管理領域の外側から内側への前記出入口の通行を許可しない請求項１に記載の動態管理システム。
【請求項４】
前記判定装置は、利用者のウェアラブル端末から採取した健康状態の情報が優れた健康状態を示す情報の場合に前記管理領域の外側から内側への前記出入口の通行を許可しない請求項１に記載の動態管理システム。
【請求項５】
前記判定装置は、利用者のウェアラブル端末から採取した健康状態の情報が優れない健康状態を示す情報の場合に前記管理領域の内側から外側への前記出入口の通行を許可しない請求項１に記載の動態管理システム。
【請求項６】
前記判定装置は、利用者のウェアラブル端末から採取した健康状態の情報が過去の一定期間において優れない健康状態を示す情報の場合に前記管理領域の内側から外側への前記出入口の通行を許可しない請求項１に記載の動態管理システム。
【請求項７】
前記判定装置は、利用者のウェアラブル端末から採取した健康状態の情報が優れた健康状態を示す情報の場合に前記管理領域の内側から外側への前記出入口の通行を許可しない請求項１に記載の動態管理システム。
【請求項８】
前記読取装置が読み取った識別情報と当該識別情報に対応した利用者のウェアラブル端末から採取した健康状態の情報とに基づいて前記管理領域の内部の利用者の識別情報と健康状態の情報とを対応付けて記憶する記憶装置、
を備えた請求項１に記載の動態管理システム。
【請求項９】
前記記憶装置に記憶された情報に基づいて前記管理領域の内部における優れない健康状態の利用者の数および割合の少なくとも一方が予め設定された条件を満たすと判定した場合に警報を発する警報装置、
を備えた請求項８に記載の動態管理システム。
【請求項１０】
前記記憶装置に記憶された情報に基づいて前記管理領域の内部における優れない健康状態の利用者の滞在期間が予め設定された滞在期間に達したと判定した場合に警報を発する警報装置、
を備えた請求項８に記載の動態管理システム。
【請求項１１】
前記判定装置は、利用者のウェアラブル端末から採取した健康状態の情報が優れない健康状態を示す情報であり、前記管理領域の内部に優れた健康状態の利用者が存在する場合に前記管理領域の外側から内側への前記出入口の通行を許可しない請求項８に記載の動態管理システム。
【請求項１２】
前記判定装置は、利用者のウェアラブル端末から採取した健康状態の情報が優れた健康状態を示す情報であり、前記管理領域の内部に優れない健康状態の利用者が存在する場合に前記管理領域の外側から内側への前記出入口の通行を許可しない請求項８に記載の動態管理システム。
【請求項１３】
エレベータの複数の乗場にそれぞれ設けられ、利用者の識別体から識別情報を読み取る複数の読取装置と、
前記複数の読取装置のうちのいずれかの読取装置が読み取った識別情報と当該識別情報に対応した利用者のウェアラブル端末から採取した健康状態の情報とに基づいて前記エレベータを制御する制御装置と、
を備えたエレベータシステム。
【請求項１４】
前記制御装置は、前記複数の読取装置のうちのいずれかの読取装置が読み取った識別情報に対応した利用者のウェアラブル端末から採取した健康状態の情報が優れない健康状態を示す情報である場合は、当該読取装置が存在する乗場の呼びに対して待ち時間が最も短くなるかごを応答させる請求項１３に記載のエレベータシステム。
【請求項１５】
読取装置が読み取った識別情報と当該識別情報に対応した利用者のウェアラブル端末から採取した健康状態の情報とに基づいて前記エレベータのかごの内部の利用者の健康状態の情報を記憶する記憶装置、
を備え、
前記制御装置は、前記記憶装置に記憶された情報に基づいて前記かごの内部の利用者の健康状態を検出し、利用者のウェアラブル端末から採取した健康状態の情報が優れない健康状態を示す情報であり、前記かごの内部に優れた健康状態の利用者が存在する場合に、優れない健康状態の利用者の識別体から識別情報を読み取った読取装置が存在する乗場の呼びに対して当該かごを応答させない請求項１３に記載のエレベータシステム。
【請求項１６】
読取装置が読み取った識別情報と当該識別情報に対応した利用者のウェアラブル端末から採取した健康状態の情報とに基づいて前記エレベータのかごの内部の利用者の健康状態の情報を記憶する記憶装置、
を備え、
前記制御装置は、前記記憶装置に記憶された情報に基づいて前記かごの内部の利用者の健康状態を検出し、利用者のウェアラブル端末から採取した健康状態の情報が優れた健康状態を示す情報であり、前記かごの内部に優れない健康状態の利用者が存在する場合に、優れた健康状態の利用者の識別体から識別情報を読み取った読取装置が存在する乗場の呼びに対して当該かごを応答させない請求項１３に記載のエレベータシステム。
【発明の詳細な説明】
【技術分野】
【０００１】
この発明は、動態管理システムおよびエレベータシステムに関する。
【背景技術】
【０００２】
特許文献１は、健康状態管理システムを開示する。当該健康状態管理システムによれば、利用者の健康状態を管理することができる。
【先行技術文献】
【特許文献】
【０００３】
【特許文献１】日本特開２００３−３０３２３９号公報
【発明の概要】
【発明が解決しようとする課題】
【０００４】
しかしながら、特許文献１に記載の健康状態管理システムは、優れた健康状態の利用者を考慮していない。このため、優れた健康状態の利用者が感染症に感染し得る。【０００５】
この発明は、上述の課題を解決するためになされた。この発明の目的は、利用者の健康状態に対して適切に動作することができる動態管理システムおよびエレベータシステムを提供することである。
【課題を解決するための手段】
【０００６】
この発明に係る動態管理システムは、管理領域の出入口の周囲に設けられ、利用者の識別体から識別情報を読み取る読取装置と、前記読取装置が読み取った識別情報と当該識別情報に対応した利用者のウェアラブル端末から採取した健康状態の情報とに基づいて前記出入口の通行可否を判定する判定装置と、を備えた。【０００７】
この発明に係るエレベータシステムは、エレベータの複数の乗場にそれぞれ設けられ、利用者の識別体から識別情報を読み取る複数の読取装置と、前記複数の読取装置のうちのいずれかの読取装置が読み取った識別情報と当該識別情報に対応した利用者のウェアラブル端末から採取した健康状態の情報とに基づいて前記エレベータを制御する制御装置と、を備えた。
【発明の効果】
【０００８】
これらの発明によれば、利用者のウェアラブル端末から採取した健康状態の情報に応じた判定または制御が行われる。このため、動態管理システムおよびエレベータシステムは、利用者の健康状態に対して適切に動作することができる。
【図面の簡単な説明】
【０００９】
【図１】この発明の実態の形態１における動態管理システムの適用例を説明するための図である。
【図２】この発明の実態の形態１における動態管理システムによる電子錠の制御の概要を説明するための図である。
【図３】この発明の実態の形態１における動態管理システムによる電子錠の制御の概要を説明するための図である。
【図４】この発明の実態の形態１における動態管理システムによる利用者の健康管理を説明するための図である。
【図５】この発明の実態の形態１における動態管理システムによる利用者の健康管理を説明するための図である。
【図６】この発明の実態の形態１における動態管理システムのローカルコントローラの動作の概要を説明するためのフローチャートである。
【図７】この発明の実施の形態１における動態管理システムのローカルコントローラとセンタ装置とのハードウェア構成図である。
【図８】この発明の実態の形態２における動態管理システムによる通行可否の判定を説明するための図である。
【図９】この発明の実態の形態３における動態管理システムによる通行可否の判定を説明するための図である。
【図１０】この発明の実態の形態４におけるエレベータシステムを説明するための図である。
【図１１】この発明の実態の形態４におけるエレベータシステムによる制御の概要を説明するための図である。
【図１２】この発明の実態の形態４におけるエレベータシステムのかごの動作を説明するための図である。
【図１３】この発明の実態の形態４におけるエレベータシステムの制御装置の動作を説明するための図である。
【図１４】この発明の実態の形態４におけるエレベータシステムの制御装置の動作を説明するための図である。
【発明を実施するための形態】
【００１０】
この発明を実施するための形態について添付の図面に従って説明する。なお、各図中、同一又は相当する部分には同一の符号が付される。当該部分の重複説明は適宜に簡略化または省略される。
【００１１】
実施の形態１．
図１はこの発明の実態の形態１における動態管理システムの適用例を説明するための図である。
【００１２】
図１において、扉１は、図示しない管理領域の出入口に設けられる。電子錠１ａは、扉１に設けられる。ゲート２は、管理領域の出入口に設けられる。
【００１３】
カード３は、利用者に携帯される。カード３は、識別体として利用者の識別情報を記憶する。例えば、ウェアラブル端末４は、利用者の腕に取り付けられる。例えば、ウェアラブル端末４は、利用者の手首に取り付けられる。ウェアラブル端末４は、利用者の健康状態を採取する。ウェアラブル端末４は、記憶部４ａを備える。記憶部４ａは、利用者の健康状態の情報を記憶する。
【００１４】
例えば、健康状態の情報は、「日時」と「体温１」と「体温２」と「体温３」と「体温４」と「体温５」と「体温６」とからなる。
【００１５】
「日時」は、健康状態の情報が採取された日時を示す。「日時」のデータ形式は、「ＹＹＹＹ／ＭＭ／ＤＤ  ｈｈ：ｍｍ：ｓｓ」である。「ＹＹＹＹ」は、西暦を示す。「ＭＭ」は、月を示す。「ＤＤ」は、日を示す。「ｈｈ」は、時を示す。「ｍｍ」は、分を示す。「ｓｓ」は、秒を示す。
【００１６】
「体温１」は、利用者の現在の体温を示す。「体温１」のデータ形式は、「ＮＮ．Ｎ」である。利用者の体温が３６．５度の場合、「ＮＮ．Ｎ」は、３６．５である。例えば、利用者の体温が３７．５度の場合、「ＮＮ．Ｎ」は、３７．５である。
【００１７】
「体温２」は、１日前における利用者の体温の平均を示す。「体温２」は、２４時間の平均である。例えば、「日時」が「２０１６／０１／０３  １２：００：００」の場合、「体温２」は、「２０１６／０１／０１  １２：００：００」から「２０１６／０１／０２  １１：５９：５９」の間における利用者の体温の平均である。「体温２」のデータ形式は、「体温１」のデータ形式と同じである。
【００１８】
「体温３」は、２日前における利用者の体温の平均を示す。「体温３」は、２４時間の平均である。例えば、「日時」が「２０１６／０１／０３  １２：００：００」の場合、「体温３」は、「２０１５／１２／３１  １２：００：００」から「２０１６／０１／０１  １１：５９：５９」の間における利用者の体温の平均である。「体温３」のデータ形式は、「体温１」のデータ形式と同じである。
【００１９】
「体温４」は、３日前における利用者の体温の平均を示す。「体温４」は、２４時間の平均である。例えば、「日時」が「２０１６／０１／０３  １２：００：００」の場合、「体温４」は、「２０１５／１２／３０  １２：００：００」から「２０１５／１２／３１  １１：５９：５９」の間における利用者の体温の平均である。「体温４」のデータ形式は、「体温１」のデータ形式と同じである。
【００２０】
「体温５」は、４日前における利用者の体温の平均を示す。「体温５」は、２４時間の平均である。例えば、「日時」が「２０１６／０１／０３  １２：００：００」の場合、「体温５」は、「２０１５／１２／２９  １２：００：００」から「２０１５／１２／３０  １１：５９：５９」の間における利用者の体温の平均である。「体温５」のデータ形式は、「体温１」のデータ形式と同じである。
【００２１】
「体温６」は、５日前における利用者の体温の平均を示す。「体温６」は、２４時間の平均である。例えば、「日時」が「２０１６／０１／０３  １２：００：００」の場合、「体温５」は、「２０１５／１２／２８  １２：００：００」から「２０１５／１２／２９  １１：５９：５９」の間における利用者の体温の平均である。「体温６」のデータ形式は、「体温１」のデータ形式と同じである。
【００２２】
動態管理システムは、カードリーダ５と受信装置６とローカルコントローラ７とセンタ装置８とを備える。
【００２３】
カードリーダ５は、読取装置として管理領域の出入口の周囲に設けられる。受信装置６は、管理領域の出入口の周囲に設けられる。ローカルコントローラ７は、認証データ記憶装置７ａを備える。センタ装置８は、個人情報記憶装置８ａと機器情報記憶装置８ｂと在室情報記憶装置８ｃと警報履歴記憶装置８ｄとを備える。
【００２４】
例えば、センタ装置８は、カード３の発行に応じて外部からの操作により識別情報を含む個人情報を個人情報記憶装置８ａに記憶させる。この際、識別情報は、認証データとしてローカルコントローラ７にダウンロードされる。例えば、センタ装置８は、外部からの操作により電子錠１ａの情報とカードリーダ５の情報と受信装置６の情報とを対応付けた機器情報を機器情報記憶装置８ｂに記憶させる。例えば、センタ装置８は、外部からの操作によりゲート２の情報とカードリーダ５の情報と受信装置６の情報とを対応付けた機器情報を機器情報記憶装置８ｂに記憶させる。
【００２５】
利用者がカードリーダ５にカード３をかざすと、カードリーダ５は、カード３から識別情報を読み取る。ローカルコントローラ７は、カードリーダ５が読み取った識別情報と認証データとを照合する。
【００２６】
利用者が管理領域の出入口に近づくと、受信装置６は、利用者のウェアラブル端末４から健康状態の情報を受信する。
【００２７】
カードリーダ５が読み取った識別情報と認証データのいずれかが一致した場合、ローカルコントローラ７は、受信装置６から利用者の健康状態の情報を取得する。
【００２８】
ローカルコントローラ７は、判定装置として利用者の健康状態の情報に基づいて管理領域の出入口の通行可否を判定する。ローカルコントローラ７は、管理領域の出入口の通行可否についての判定結果に基づいて電子錠１ａまたはゲート２を制御する。
【００２９】
ローカルコントローラ７は、カードリーダ５が読み取った識別情報と扉１または管理領域の情報と現時点の日時の情報とを対応付けた通行情報をセンタ装置８に送信する。ローカルコントローラ７は、受信装置６から取得した利用者の健康状態の情報をセンタ装置８に送信する。
【００３０】
センタ装置８は、通行情報と健康状態の情報とを対応付けた在室情報を在室情報記憶装置８ｃに記憶させる。例えば、出入口の外側から内側への通行が許可された後に扉１が開いた場合、センタ装置８は、在室状態の情報を「入室状態」を示す情報とする。例えば、出入口の内側から外側への通行が許可された後に扉１が開いた場合、センタ装置８は、在室状態の情報を「退室状態」を示す情報とする。
【００３１】
センタ装置８は、在室情報記憶装置８ｃに記憶された情報に基づいて警報を発する。センタ装置８は、警報の情報と現時点の日時の情報とを対応付けた警報履歴を警報履歴記憶装置８ｄに記憶させる。
【００３２】
次に、図２と図３とを用いて、電子錠１ａの制御の概要を説明する。
図２と図３とはこの発明の実態の形態１における動態管理システムによる電子錠の制御の概要を説明するための図である。
【００３３】
例えば、病気が管理領域の内部において流行することを抑制する場合、体温が３７．５℃以上である利用者の健康状態は優れないとされる。当該設定の際に、利用者の「体温１」が３７．５未満であると、ローカルコントローラ７は、管理領域の外側から内側への通行を許可する。利用者の「体温１」が３７．５以上であると、ローカルコントローラ７は、管理領域の外側から内側への通行を許可しない。
【００３４】
例えば、一定期間の安静を必要とする病気が管理領域の内部において流行することを抑制する場合、過去の５日間のうちのいずれかの日において体温の平均が３７．５℃以上である利用者の健康状態は優れないとされる。当該設定の際に、利用者の「体温１」から「体温６」の全てが３７．５未満であると、ローカルコントローラ７は、管理領域の外側から内側への通行を許可する。利用者の「体温１」から「体温６」のうちの少なくとも１つが３７．５以上であると、ローカルコントローラ７は、管理領域の外側から内側への通行を許可しない。
【００３５】
例えば、病気が管理領域の内部において感染することを抑制する場合、体温が３７．０℃以上である利用者の健康状態は優れないとされる。当該設定の際に、利用者の「体温１」が３７．０以上であると、ローカルコントローラ７は、管理領域の外側から内側への通行を許可する。利用者の「体温１」が３７．０未満であると、ローカルコントローラ７は、管理領域の外側から内側への通行を許可しない。
【００３６】
例えば、病気が管理領域の外部において流行することを抑制する場合、体温が３７．５℃以上である利用者の健康状態は優れないとされる。当該設定の際に、利用者の「体温１」が３７．５未満であると、ローカルコントローラ７は、管理領域の内側から外側への通行を許可する。利用者の「体温１」が３７．５以上であると、ローカルコントローラ７は、管理領域の外側から内側への通行を許可しない。
【００３７】
例えば、一定期間の安静を必要とする病気が管理領域の外部において流行することを抑制する場合、過去の５日間のうちのいずれかの日において体温の平均が３７．５℃以上である利用者の健康状態は優れないとされる。当該設定の際に、「体温１」から「体温６」の全てが３７．５未満であると、ローカルコントローラ７は、管理領域の内側から外側への通行を許可する。「体温１」から「体温６」のうちの少なくとも１つが３７．５以上であると、ローカルコントローラ７は、管理領域の外側から内側への通行を許可しない。
【００３８】
例えば、病気が管理領域の外部において感染することを抑制する場合、体温が３７．０℃以上である利用者の健康状態は優れないとされる。当該設定の際に、「体温１」が３７．０以上であると、ローカルコントローラ７は、管理領域の内側から外側への通行を許可する。「体温１」が３７．０以上であると、ローカルコントローラ７は、管理領域の外側から内側への通行を許可しない。
【００３９】
体温の規準値は、適宜変更し得る。例えば、高熱とならないインフルエンザが流行している場合、体温の規準値を３７．５から３７．３に変更してもよい。
【００４０】
図２に示すように、ローカルコントローラ７は、通行を許可する場合に電子錠１ａを解く。図３に示すように、ローカルコントローラ７は、通行を許可しない場合に電子錠１ａを解かずに警告する。例えば、ローカルコントローラ７は、カードリーダ５に警告音を発生させる。
【００４１】
次に、図４と図５とを用いて、利用者の健康管理を説明する。
図４と図５とはこの発明の実態の形態１における動態管理システムによる利用者の健康管理を説明するための図である。
【００４２】
図４に示すように、センタ装置８は、在室情報記憶装置８ｃに記憶された情報に基づいて管理領域の内部に存在する利用者の健康管理を実施する。具体的には、センタ装置８は、管理領域の内部における優れない健康状態の利用者を検出する。
【００４３】
図５に示すように、管理領域の内部における優れない健康状態の利用者の数および割合の少なくとも一方が予め設定された条件を満たす場合、センタ装置８は、警報装置として警報を発する。
【００４４】
例えば、管理領域の内部における優れない健康状態の利用者の数が予め設定された数に達した場合、センタ装置８は、警報を発する。例えば、管理領域の内部における優れない健康状態の利用者の数が３０に達した場合、センタ装置８は、警報を発する。
【００４５】
例えば、管理領域の内部における優れない健康状態の利用者の割合が予め設定された割合に達した場合、センタ装置８は、警報を発する。例えば、管理領域の内部における優れない健康状態の利用者の割合が２０％に達した場合、センタ装置８は、警報を発する。
【００４６】
例えば、管理領域の内部における優れない健康状態の利用者の数が予め設定された数に達し、管理領域の内部における優れない健康状態の利用者の割合が予め設定された割合に達した場合、センタ装置８は、警報を発する。例えば、管理領域の内部における優れない健康状態の利用者の数が３０に達し、管理領域の内部における優れない健康状態の利用者の割合が２０％に達した場合、センタ装置８は、警報を発する。
【００４７】
例えば、管理領域の内部における優れない健康状態の利用者の滞在期間が予め設定された滞在期間に達した場合、センタ装置８は、警報装置として警報を発する。例えば、管理領域の内部における優れない健康状態の利用者の滞在期間が３０分に達した場合、センタ装置８は、警報を発する。
【００４８】
次に、図６を用いて、ローカルコントローラ７の動作の概要を説明する。
図６はこの発明の実態の形態１における動態管理システムのローカルコントローラの動作の概要を説明するためのフローチャートである。
【００４９】
ステップＳ１では、ローカルコントローラ７は、カードリーダ５から識別情報を取得する。その後、ステップＳ２に進む。ステップＳ２では、ローカルコントローラ７は、識別情報と認証データのいずれかとが一致するか否かを判定する。
【００５０】
ステップＳ２で識別情報がいずれの認証データとも一致しない場合は、ステップＳ３に進む。ステップＳ３では、ローカルコントローラ７は、電子錠１ａを解かない。その後、動作が終了する。
【００５１】
ステップＳ２で識別情報と認証データのいずれかとが一致する場合は、ステップＳ４に進む。ステップＳ４では、ローカルコントローラ７は、利用者のウェアラブル端末４から健康状態の情報を取得する。その後、ステップＳ５に進む。
【００５２】
ステップＳ５では、ローカルコントローラ７は、対応した出入口の通行を許可する条件が満たされているか否かを判定する。
【００５３】
ステップＳ５で対応した出入口の通行を許可する条件が満たされていない場合は、ステップＳ３に進む。ステップＳ３では、ローカルコントローラ７は、電子錠１ａを解かない。その後、動作が終了する。
【００５４】
ステップＳ５で対応した出入口の通行を許可する条件が満たされている場合は、ステップＳ６に進む。ステップＳ６では、ローカルコントローラ７は、電子錠１ａを解く。その後、動作が終了する。
【００５５】
以上で説明した実施の形態１によれば、動態管理システムは、利用者のウェアラブル端末から採取した健康状態の情報に応じた判定を行う。このため、動態管理システムは、利用者の健康状態に対して適切に動作することができる。
【００５６】
例えば、利用者のウェアラブル端末４から採取した健康状態の情報が優れない健康状態を示す情報の場合、管理領域の外側から内側への出入口の通行は許可されない。この場合、病気が管理領域の内部において流行することを抑制できる。
【００５７】
例えば、利用者のウェアラブル端末から採取した健康状態の情報が過去の一定期間において優れない健康状態を示す情報の場合、管理領域の外側から内側への出入口の通行は許可されない。この場合、一定期間の安静を必要とする病気が管理領域の内部において流行することを抑制できる。例えば、インフルエンザが管理領域の内部において流行することを抑制できる。
【００５８】
例えば、利用者のウェアラブル端末４から採取した健康状態の情報が優れた健康状態を示す情報の場合、管理領域の外側から内側への出入口の通行は許可されない。この場合、病気が管理領域の内部において感染することを抑制できる。
【００５９】
例えば、利用者のウェアラブル端末４から採取した健康状態の情報が優れない健康状態を示す情報の場合、管理領域の内側から外側への出入口の通行は許可されない。この場合、病気が管理領域の外部において流行することを抑制できる。
【００６０】
例えば、利用者のウェアラブル端末４から採取した健康状態の情報が過去の一定期間において優れない健康状態を示す情報の場合に管理領域の内側から外側への出入口の通行は許可されない。この場合、一定期間の安静を必要とする病気が管理領域の外部において流行することを抑制できる。例えば、インフルエンザが管理領域の外部において流行することを抑制できる。
【００６１】
例えば、利用者のウェアラブル端末４から採取した健康状態の情報が優れた健康状態を示す情報の場合、管理領域の内側から外側への出入口の通行は許可されない。この場合、病気が管理領域の外部において感染することを抑制できる。
【００６２】
また、在室情報記憶装置８ｃは、通行情報と健康状態の情報とを対応付けた在室情報を記憶する。このため、管理領域の内部に存在する利用者の健康管理を行うことができる。
【００６３】
また、センタ装置８は、管理領域の内部における優れない健康状態の利用者の数および割合の少なくとも一方が予め設定された条件を満たす場合に警報を発する。このため、当該警報に応じて、優れた健康状態の利用者に対して管理領域からの退出を促すことができる。その結果、管理領域の内部において病気の流行を抑制することができる。
【００６４】
また、センタ装置８は、管理領域の内部における優れない健康状態の利用者の滞在期間が予め設定された滞在期間に達した場合に警報を発する。このため、当該警報に応じて、管理領域の換気を促すことができる。その結果、管理領域の内部において病気を予防することができる。
【００６５】
なお、通行を許可する場合にゲート２を開いてもよい。通行を許可しない場合にゲート２を開かなくてもよい。この場合も、動態管理システムは、利用者の健康状態に対して適切に動作することができる。
【００６６】
次に、図７を用いて、ローカルコントローラ７とセンタ装置８との例を説明する。
図７はこの発明の実施の形態１における動態管理システムのローカルコントローラとセンタ装置とのハードウェア構成図である。
【００６７】
ローカルコントローラ７の各機能は、処理回路により実現し得る。例えば、処理回路は、少なくとも１つのプロセッサ９ａと少なくとも１つのメモリ９ｂとを備える。例えば、処理回路は、少なくとも１つの専用のハードウェア１０を備える。
【００６８】
処理回路が少なくとも１つのプロセッサ９ａと少なくとも１つのメモリ９ｂとを備える場合、ローカルコントローラ７の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ９ｂに格納される。少なくとも１つのプロセッサ９ａは、少なくとも１つのメモリ９ｂに記憶されたプログラムを読み出して実行することにより、ローカルコントローラ７の各機能を実現する。少なくとも１つのプロセッサ９ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ９ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００６９】
処理回路が少なくとも１つの専用のハードウェア１０を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、ローカルコントローラ７の各機能は、それぞれ処理回路で実現される。例えば、ローカルコントローラ７の各機能は、まとめて処理回路で実現される。
【００７０】
ローカルコントローラ７の各機能について、一部を専用のハードウェア１０で実現し、他部をソフトウェア又はファームウェアで実現してもよい。例えば、カードリーダ５から識別情報を取得する機能については専用のハードウェア１０としての処理回路で実現し、カードリーダ５から識別情報を取得する機能以外の機能については少なくとも１つのプロセッサ９ａが少なくとも１つのメモリ９ｂに格納されたプログラムを読み出して実行することによって実現してもよい。
【００７１】
このように、処理回路は、ハードウェア１０、ソフトウェア、ファームウェア、又はこれらの組み合わせによって、ローカルコントローラ７の各機能を実現する。
【００７２】
センタ装置８の各機能は、処理回路により実現し得る。例えば、処理回路は、少なくとも１つのプロセッサ１１ａと少なくとも１つのメモリ１１ｂとを備える。例えば、処理回路は、少なくとも１つの専用のハードウェア１２を備える。
【００７３】
処理回路が少なくとも１つのプロセッサ１１ａと少なくとも１つのメモリ１１ｂとを備える場合、センタ装置８の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ１１ｂに格納される。少なくとも１つのプロセッサ１１ａは、少なくとも１つのメモリ１１ｂに記憶されたプログラムを読み出して実行することにより、センタ装置８の各機能を実現する。少なくとも１つのプロセッサ１１ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１１ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００７４】
処理回路が少なくとも１つの専用のハードウェア１２を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、センタ装置８の各機能は、それぞれ処理回路で実現される。例えば、センタ装置８の各機能は、まとめて処理回路で実現される。
【００７５】
センタ装置８の各機能について、一部を専用のハードウェア１２で実現し、他部をソフトウェア又はファームウェアで実現してもよい。例えば、警報を発する機能については専用のハードウェア１２としての処理回路で実現し、警報を発する機能以外の機能については少なくとも１つのプロセッサ１１ａが少なくとも１つのメモリ１１ｂに格納されたプログラムを読み出して実行することによって実現してもよい。
【００７６】
このように、処理回路は、ハードウェア１２、ソフトウェア、ファームウェア、又はこれらの組み合わせによって、センタ装置８の各機能を実現する。
【００７７】
実施の形態２．
図８はこの発明の実態の形態２における動態管理システムによる通行可否の判定を説明するための図である。なお、実施の形態１と同一又は相当部分には、同一符号が付される。当該部分の説明は省略される。
【００７８】
実施の形態２において、センタ装置８は、管理領域の内部に存在する利用者の健康状態の情報をローカルコントローラ７に送信する。
【００７９】
ローカルコントローラ７は、利用者のウェアラブル端末４から採取した健康状態と管理領域の内部に存在する利用者の健康状態とに基づいて管理領域の外側から内側への出入口の通行可否を判定する。
【００８０】
例えば、利用者のウェアラブル端末４から採取した健康状態の情報が優れない健康状態を示す情報であり、管理領域の内部に優れた健康状態の利用者が存在する場合、ローカルコントローラ７は、管理領域の外側から内側への出入口の通行を許可しない。
【００８１】
以上で説明した実施の形態２によれば、利用者のウェアラブル端末４から採取した健康状態の情報が優れない健康状態を示す情報であり、管理領域の内部に優れた健康状態の利用者が存在する場合、管理領域の外側から内側への出入口の通行は許可されない。この場合、管理領域の内部において病気の流行を抑制することができる。
【００８２】
なお、利用者のウェアラブル端末４から採取した健康状態の情報が優れた健康状態を示す情報であり、管理領域の内部に優れない健康状態の利用者が存在する場合、管理領域の外側から内側への出入口の通行を許可しない設定としてもよい。この場合、管理領域の内部において病気の流行を抑制することができる。
【００８３】
実施の形態３．
図９はこの発明の実態の形態３における動態管理システムによる通行可否の判定を説明するための図である。なお、実施の形態１と同一又は相当部分には、同一符号が付される。当該部分の説明は省略される。
【００８４】
実施の形態３において、ローカルコントローラ７は、在室情報記憶装置８ｃと同等の在室情報記憶装置７ｂを備える。
【００８５】
ローカルコントローラ７は、在室情報記憶装置７ｂに記憶された情報に基づいて管理領域の内部に存在する利用者の健康状態を把握する。ローカルコントローラ７は、利用者のウェアラブル端末４から採取した健康状態と管理領域の内部に存在する利用者の健康状態とに基づいて管理領域の外側から内側への出入口の通行可否を判定する。
【００８６】
例えば、利用者のウェアラブル端末４から採取した健康状態の情報が優れない健康状態を示す情報であり、管理領域の内部に優れた健康状態の利用者が存在する場合、ローカルコントローラ７は、管理領域の外側から内側への前記出入口の通行を許可しない。
【００８７】
以上で説明した実施の形態３によれば、利用者のウェアラブル端末４から採取した健康状態の情報が優れない健康状態を示す情報であり、管理領域の内部に優れた健康状態の利用者が存在する場合、管理領域の外側から内側への出入口の通行は許可されない。この場合、管理領域の内部において病気の流行を抑制することができる。
【００８８】
なお、利用者のウェアラブル端末４から採取した健康状態の情報が優れた健康状態を示す情報であり、管理領域の内部に優れない健康状態の利用者が存在する場合、管理領域の外側から内側への出入口の通行を許可しない設定としてもよい。この場合、管理領域の内部において病気の流行を抑制することができる。
【００８９】
実施の形態４．
図１０はこの発明の実態の形態４におけるエレベータシステムを説明するための図である。図１１はこの発明の実態の形態４におけるエレベータシステムによる制御の概要を説明するための図である。なお、実施の形態１と同一又は相当部分には、同一符号が付される。当該部分の説明は省略される。
【００９０】
実施の形態４においては、複数のカードリーダ５の各々は、エレベータの複数の乗場の各々に設けられる。図１０と図１１においては、１つのカードリーダ５のみが示される。
【００９１】
複数の受信装置６の各々は、エレベータの複数の乗場の各々に設けられる。図１０と図１１とにおいては、１つの受信装置６のみが示される。
【００９２】
例えば、制御装置１３は、エレベータの図示しない機械室に設けられる。例えば、制御装置１３は、エレベータの図示しない昇降路に設けられる。
【００９３】
利用者が乗場においてカードリーダ５にカード３をかざすと、カードリーダ５は、カード３から識別情報を読み取る。ローカルコントローラ７は、カードリーダ５が読み取った識別情報と認証データとを照合する。
【００９４】
利用者が乗場の出入口に近づくと、受信装置６は、利用者のウェアラブル端末４から健康状態の情報を受信する。
【００９５】
カードリーダ５が読み取った識別情報と認証データのいずれかが一致した場合、ローカルコントローラ７は、受信装置６から利用者の健康状態の情報を取得する。ローカルコントローラ７は、当該乗場における配車要求の情報と健康状態の情報とを制御装置１３に送信する。
【００９６】
例えば、制御装置１３は、当該乗場における配車要求の情報に応じて当該乗場の呼びを登録する。例えば、制御装置１３は、乗場の利用者の健康状態の情報に応じて当該乗場の呼びに応答させるかごを決定する。例えば、制御装置１３は、在室情報記憶装置８ｃに記憶された情報に基づいてかごの内部の利用者の健康状態の情報を取得する。例えば、制御装置１３は、かごの内部の利用者の健康状態の情報に応じて当該乗場の呼びに応答させるかごを決定する。この際、制御装置１３は、予め設定された条件に基づいて利用者の健康状態を判定する。
【００９７】
例えば、第１条件が設定されている場合、制御装置１３は、利用者の「体温１」が３７．５以上であるとの条件が成立するか否かに基づいて利用者の健康状態を判定する。具体的に制御装置１３は、「体温１」が３７．５以上である利用者の健康状態は優れないと判定する。制御装置１３は、「体温１」が３７．５未満である利用者の健康状態は優れていると判定する。
【００９８】
例えば、第２条件が設定されている場合、制御装置１３は、「体温１」から「体温６」の全てが３７．０未満であるとの条件が成立するか否かに基づいて利用者の健康状態を判定する。具体的には、制御装置１３は、「体温１」から「体温６」のうちの少なくとも１つが３７．０以上である利用者の健康状態は優れないと判定する。制御装置１３は、「体温１」から「体温６」の全てが３７．０未満である利用者の健康状態は優れていると判定する。
【００９９】
体温の規準値は、適宜変更し得る。例えば、高熱とならないインフルエンザが流行している場合、体温の規準値を３７．５から３７．３に変更してもよい。
【０１００】
例えば、第１条件が設定されている場合、制御装置１３は、健康状態が優れない利用者に対応した乗場の呼びに対して優先的にかごを応答させる。
【０１０１】
例えば、第２条件が設定されている場合、制御装置１３は、健康状態が優れた利用者に対応した乗場の呼びに対して優れない健康状態の利用者が乗っているかごを応答させない。制御装置１３は、健康状態が優れない利用者に対応した乗場の呼びに対して優れた健康状態の利用者が乗っているかごを応答させない。
【０１０２】
次に、図１２を用いて、第１条件が設定されている際のかごの動作を説明する。
図１２はこの発明の実態の形態４におけるエレベータシステムのかごの動作を説明するための図である。
【０１０３】
図１２において、かごＡは、２階に停止している。かごＡの走行方向は、下向きに設定されている。かごＢは、９階に停止している。かごＢの走行方向は、下向きに設定されている。
【０１０４】
この状態において、健康状態が優れない利用者に対応した乗場の呼びが４階で登録されると、当該乗場の呼びに対して待ち時間が最も短くなるかごＡが当該乗場呼びに応答する。
【０１０５】
次に、図１３を用いて、第１条件が設定されている際の制御装置１３の動作を説明する。
図１３はこの発明の実態の形態４におけるエレベータシステムの制御装置の動作を説明するための図である。
【０１０６】
ステップＳ１１では、制御装置１３は、乗場の利用者の健康状態の情報を取得する。その後、ステップＳ１２に進む。ステップＳ１２では、制御装置１３は、第１条件が成立するか否かを判定する。
【０１０７】
ステップＳ１２で第１条件が成立する場合は、ステップＳ１３に進む。ステップＳ１３では、制御装置１３は、当該乗場の呼びに対して待ち時間が最も短くなるかごを応答させる。その後、動作が終了する。
【０１０８】
ステップＳ１２で第１条件が成立しない場合は、ステップＳ１４に進む。ステップＳ１４では、制御装置１３は、当該乗場の呼びに対して通常運行の条件により選定されたかごを応答させる。その後、動作が終了する。
【０１０９】
次に、図１４を用いて、第２条件が設定されている際の制御装置１３の動作を説明する。
図１４はこの発明の実態の形態４におけるエレベータシステムの制御装置の動作を説明するための図である。
【０１１０】
ステップＳ２１では、制御装置１３は、乗場の利用者の健康状態の情報を取得する。その後、ステップＳ２２に進む。ステップＳ２２では、制御装置１３は、第２条件が成立するか否かを判定する。
【０１１１】
ステップＳ２２で第２条件が成立する場合は、ステップＳ２３に進む。ステップＳ２３では、制御装置１３は、内部の利用者の全ての健康状態において第２条件が成立するかごまたは空のかごが存在するか否かを判定する。
【０１１２】
ステップＳ２３で内部の利用者の全ての健康状態において第２条件が成立するかごまたは空のかごが存在する場合は、ステップＳ２４に進む。ステップＳ２４では、制御装置１３は、当該乗場の呼びに対して内部の利用者の全ての健康状態において第２条件が成立するかごまたは空のかごの中から選定されたかごを応答させる。その後、動作が終了する。
【０１１３】
ステップＳ２３で内部の利用者の全ての健康状態において第２条件が成立するかごおよび空のかごが存在しない場合は、ステップＳ２５に進む。ステップＳ２５では、制御装置１３は、「配車待ち」を設定する。この際、制御装置１３は、内部の利用者の全ての健康状態において第２条件が成立するかごまたは空のかごが出現するまで待つ。その後、動作が終了する。
【０１１４】
ステップＳ２２で第２条件が成立しない場合は、ステップＳ２６に進む。ステップＳ２６では、制御装置１３は、内部の利用者の全ての健康状態において第２条件が成立しないかごまたは空のかごが存在するか否かを判定する。
【０１１５】
ステップＳ２６で内部の利用者の全ての健康状態において第２条件が成立しないかごまたは空のかごが存在する場合は、ステップＳ２７に進む。ステップＳ２７では、制御装置１３は、当該乗場の呼びに対して内部の利用者の全ての健康状態において第２条件が成立しないかごまたは空のかごの中から選定されたかごを応答させる。その後、動作が終了する。
【０１１６】
ステップＳ２６で内部の利用者の全ての健康状態において第２条件が成立しないかごおよび空のかごが存在しない場合は、ステップＳ２５に進む。ステップＳ２５では、制御装置１３は、「配車待ち」を設定する。この際、制御装置１３は、内部の利用者の全ての健康状態において第２条件が成立しないかごまたは空のかごが出現するまで待つ。その後、動作が終了する。
【０１１７】
以上で説明した実施の形態４によれば、制御装置１３は、当該乗場における配車要求の情報と健康状態の情報とに基づいてエレベータを制御する。このため、エレベータシステムは、利用者の健康状態に対して適切に動作することができる。
【０１１８】
また、制御装置１３は、健康状態が優れない利用者に対応した乗場の呼びに対して優先的にかごを応答させる。このため、エレベータにおいて病気の利用者の移動を優先することができる。
【０１１９】
また、受信した健康状態の情報が優れない健康状態を示す情報であり、かごの内部に優れた健康状態の利用者が存在する場合、制御装置１３は、優れない健康状態の利用者のカード３から識別情報を読み取ったカードリーダ５が存在する乗場の呼びに対して当該かごを応答させない。このため、かごの内部において病気の感染を抑制することができる。
【０１２０】
また、受信した健康状態の情報が優れた健康状態を示す情報であり、かごの内部に優れない健康状態の利用者が存在する場合、制御装置１３は、優れた健康状態の利用者のカード３から識別情報を読み取ったカードリーダ５が存在する乗場の呼びに対して当該かごを応答させない。このため、かごの内部において病気の感染を抑制することができる。
【０１２１】
なお、実施の形態１から実施の形態４において、公衆回線を介してウェアラブル端末４の健康状態の情報をローカルコントローラ７に送信してもよい。この場合、ローカルコントローラ７は、自らが保持する健康状態の情報に基づいて出入口の通行可否を判定する。このため、受信装置６を用いることなく、出入口の通行可否を判定することができる。
【０１２２】
また、実施の形態１から実施の形態４において、公衆回線を介してウェアラブル端末４の健康状態の情報を図示しないクラウドサーバに送信してもよい。この場合、ローカルコントローラ７は、クラウドサーバが保持する健康状態の情報に基づいて出入口の通行可否を判定する。このため、受信装置６を用いることなく、出入口の通行可否を判定することができる。
【産業上の利用可能性】
【０１２３】
以上のように、動態管理システムおよびエレベータシステムは、利用者の健康状態に対して適切に動作するシステムに利用できる。
【符号の説明】
【０１２４】
１  扉、  １ａ  電子錠、  ２  ゲート、  ３  カード、  ４  ウェアラブル端末、  ４ａ  記憶部、  ５  カードリーダ、  ６  受信装置、  ７  ローカルコントローラ、  ７ａ  認証データ記憶装置、  ７ｂ  在室情報記憶装置、  ８  センタ装置、  ８ａ  個人情報記憶装置、  ８ｂ  機器情報記憶装置、  ８ｃ  在室情報記憶装置、  ８ｄ  警報履歴記憶装置、  ９ａ  プロセッサ、  ９ｂ  メモリ、  １０  ハードウェア、  １１ａ  プロセッサ、  １１ｂ  メモリ、  １２  ハードウェア、  １３  制御装置
【図１】
2017221296.tif 000003
【図２】
2017221296.tif 000004
【図３】
2017221296.tif 000005
【図４】
2017221296.tif 000006
【図５】
2017221296.tif 000007
【図６】
2017221296.tif 000008
【図７】
2017221296.tif 000009
【図８】
2017221296.tif 000010
【図９】
2017221296.tif 000011
【図１０】
2017221296.tif 000012
【図１１】
2017221296.tif 000013
【図１２】
2017221296.tif 000014
【図１３】
2017221296.tif 000015
【図１４】
2017221296.tif 000016
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
エレベータの複数の乗場にそれぞれ設けられ、利用者の識別体から識別情報を読み取る複数の読取装置と、
前記複数の読取装置のうちのいずれかの読取装置が読み取った識別情報と当該識別情報に対応した利用者のウェアラブル端末から採取した健康状態の情報とに基づいて前記エレベータを制御する制御装置と、
を備え、
前記制御装置は、前記複数の読取装置のうちのいずれかの読取装置が読み取った識別情報に対応した利用者のウェアラブル端末から採取した健康状態の情報が優れない健康状態を示す情報である場合は、当該読取装置が存在する乗場の呼びに対して待ち時間が最も短くなるかごを応答させるエレベータシステム。
【手続補正３】
【補正対象書類名】明細書
【補正対象項目名】０００１
【補正方法】変更
【補正の内容】
【０００１】
この発明は、エレベータシステムに関する。
【手続補正４】
【補正対象書類名】明細書
【補正対象項目名】０００５
【補正方法】変更
【補正の内容】
【０００５】
この発明は、上述の課題を解決するためになされた。この発明の目的は、利用者の健康状態に対して適切に動作することができるエレベータシステムを提供することである。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
この発明に係るエレベータシステムは、エレベータの複数の乗場にそれぞれ設けられ、利用者の識別体から識別情報を読み取る複数の読取装置と、前記複数の読取装置のうちのいずれかの読取装置が読み取った識別情報と当該識別情報に対応した利用者のウェアラブル端末から採取した健康状態の情報とに基づいて前記エレベータを制御する制御装置と、を備え、前記制御装置は、前記複数の読取装置のうちのいずれかの読取装置が読み取った識別情報に対応した利用者のウェアラブル端末から採取した健康状態の情報が優れない健康状態を示す情報である場合は、当該読取装置が存在する乗場の呼びに対して待ち時間が最も短くなるかごを応答させる。
【手続補正７】
【補正対象書類名】明細書
【補正対象項目名】０００８
【補正方法】変更
【補正の内容】
【０００８】
この発明によれば、利用者のウェアラブル端末から採取した健康状態の情報に応じた判定または制御が行われる。このため、エレベータシステムは、利用者の健康状態に対して適切に動作することができる。
【手続補正８】
【補正対象書類名】明細書
【補正対象項目名】０１２３
【補正方法】変更
【補正の内容】
【０１２３】
以上のように、エレベータシステムは、利用者の健康状態に対して適切に動作するシステムに利用できる。
【国際調査報告】
2017221296.tif 000017
2017221296.tif 000018
2017221296.tif 000019
2017221296.tif 000020